(57)【要約】改良されたセキュリティチェックポイントは、特定の人々を、さらなるセキュリティ検査のために安全な囲まれたワンディングステーション内に分離する。ワンディングステーションは、ガラス（又は他の丈夫で視覚的に透明な物質）及び金属（アルミニウム又は鋼）製ポストを使用して、人々を、安全にワンディングステーション内に閉じ込めることができるが、人々が依然として別の場所で検査されている携行品を直接見ることができるように、構成されてもよい。ワンディングステーションのサイズは、チェックポイントの必要に応じて異なってもよいが、同時に３人の人々を検査する場所があることが好ましい。ワンディングステーションは、最適には６人の人々がワンディングステーションに入るための列を形成する入口エリアを含んでもよい。２つ以上の身体検査エリア及び物品検査エリアが、ワンディングステーションを共用してダブルレーンモジュールを形成してもよい。セキュリティモジュールは、大部分の人々が、チェックポイントを直線状に通過し、ワンディングステーションを出る人々が他の人々を遅らせることなく自分の物品を容易に受け取ることができるように構成される。セキュリティモジュールは、ワンディングステーション内の検査を迅速に処理するために、ワンディングステーションの近くに配置された小型物品ｘ線又は他の検査装置をさらに含んでもよい。
2006513919.tif 000002
【特許請求の範囲】
【請求項１】
人の物品の１つ又は複数を検査する物品検査装置であって、前記物品を挿入する入力端と、前記物品検査装置から前記物品を受け取る出力端と、を有する物品検査装置と、
人を検査する身体検査装置であって、その人のさらなる検査が必要であることを検出した場合に警報を発する身体検査装置と、
前記身体検査装置が警報を発した場合にさらなる検査のためにその人を保持する囲いであって、前記身体検査装置及び前記物品検査装置から物理的に分離された囲いと、
を具備するセキュリティチェックポイントモジュール。
【請求項２】
前記物品検査装置及び前記身体検査装置は、およそ３０．４８センチ以内に近接して配置される、請求項１に記載のセキュリティチェックポイントモジュール。
【請求項３】
前記囲いは、支持ビームと該支持ビームに締結された平面壁ユニットとを備えた壁によって包囲される、請求項１に記載のセキュリティチェックポイントモジュール。
【請求項４】
前記平面壁ユニットは、実質的に透明であり、前記人は、前記囲い内にいる時、前記物品検査装置内の物品を見ることができる、請求項３に記載のセキュリティチェックポイントモジュール。
【請求項５】
前記囲いは、入口エリアを含み、該入口エリアは、前記囲いに入るための列の形成を可能にするように適合される、請求項１に記載のセキュリティチェックポイントモジュール。
【請求項６】
前記入口エリアは、６人の人が前記入口エリアを満たす前に前記列に加わることができるように適合される、請求項５に記載のセキュリティチェックポイントモジュール。
【請求項７】
前記囲いの出口は、前記人が、他の人々の流れに逆らって移動することなく、前記囲いを出て前記物品検査装置から物品を受け取ることができるようにするように配置される、請求項１に記載のセキュリティチェックポイントモジュール。
【請求項８】
前記物品検査装置は、該物品検査装置から出る前記物品を前記囲い出口の隣に配置する延長部を含む、請求項７に記載のセキュリティチェックポイントモジュール。
【請求項９】
前記囲いは入口を備え、該入口は、前記身体検査装置に近接して配置される、請求項１に記載のセキュリティチェックポイントモジュール。
【請求項１０】
前記物品検査装置、前記身体検査装置及び前記囲いは、前記身体検査が警報を発しない場合に、実質的に直線経路で、前記人が前記物品を前記物品検査装置内に配置し、前記身体検査装置を通過し、前記物品検査装置から前記物品を取り戻すことができるように構成される、請求項１に記載のセキュリティチェックポイントモジュール。
【請求項１１】
第２の物品検査装置及び第２の身体検査装置をさらに具備する、請求項１に記載のセキュリティチェックポイントモジュール。
【請求項１２】
前記囲いは、３人の人々を同時に検査するように構成される、請求項１に記載のセキュリティチェックポイントモジュール。
【請求項１３】
小型物品検査装置をさらに具備し、該小型物品検査装置は、前記囲いから携行品を受け取り検査するように配置される、請求項１に記載のセキュリティチェックポイントモジュール。
【請求項１４】
チェックポイント入口をさらに具備し、該チェックポイント入口は蛇行する列を含む、請求項１に記載のセキュリティチェックポイントモジュール。
【請求項１５】
セキュリティチェックポイントにおいて人を検査する方法であって、
第１の身体検査を実行して第２の身体検査を実行するべきか否かを判断すること、
前記第１の身体検査により前記第２の身体検査を実行する必要があると判断された場合に、前記人を囲いに移動させること、及び
前記囲い内で前記第２の身体検査を実行すること
を含む、セキュリティチェックポイントにおいて人を検査する方法。
【請求項１６】
前記囲い内にいる人は、該人の物品の検査を見ることができる、請求項１５に記載のセキュリティチェックポイントにおいて人を検査する方法。
【請求項１７】
前記囲いは、実質的に透明な壁を含む、請求項１６に記載のセキュリティチェックポイントにおいて人を検査する方法。
【請求項１８】
前記第２の身体検査は、手持式金属探知機を使用することを含む、請求項１５に記載のセキュリティチェックポイントにおいて人を検査する方法。
【請求項１９】
前記第２の身体検査は、携行品を検査するために小型物品ｘ線を使用することを含む、請求項１５に記載のセキュリティチェックポイントにおいて人を検査する方法。
【請求項２０】
前記第１の身体検査により前記第２の身体検査を実行する必要がないと判断された場合、前記人は、実質的に直線経路で前記セキュリティチェックポイントを通過する、請求項１５に記載のセキュリティチェックポイントにおいて人を検査する方法。
【請求項２１】
前記第２の身体検査に続き、前記人が前記囲いを出て流れに逆らうことなく検査された物品を取り戻すステップをさらに含む、請求項１５に記載のセキュリティチェックポイントにおいて人を検査する方法。
【請求項２２】
第１の身体検査装置及び第２の身体検査装置のいずれかが、前記第１の身体検査を実行する、請求項１５に記載のセキュリティチェックポイントにおいて人を検査する方法。
【請求項２３】
前記囲いは、前記第２の身体検査を３人以上の人々に対して同時に行うことができるように適合される、請求項１５に記載のセキュリティチェックポイントにおいて人を検査する方法。
【請求項２４】
入口と、
少なくとも１つのチェックポイントモジュールであって、
人が預ける物品を受け取る入力エリアと、該物品を検査する物品検査装置と、第１の身体検査及び第２の身体検査の完了後に前記物品を前記人に返す出力エリアと、を含む物品検査エリアと、
該物品検査エリアに隣接して配置された身体検査エリアであって、前記人は前記入力エリアに前記物品を預けた後に該身体検査エリアに入り、該身体検査エリアは、第１の身体検査を実行することにより第２の身体検査を実行する必要があるかを判断し、該第２の身体検査を実行する必要がない場合、前記人は、実質的に直線経路で、前記身体検査エリアを出て前記出力エリアから前記物品を取り戻す、身体検査エリアと、
囲いであって、前記第１の身体検査により前記第２の身体検査を実行する必要があると判断された場合に、前記人は前記身体検査エリアを出て該囲いに入り、該囲い内で前記第２の身体検査が行われ、前記物品検査エリア及び前記身体検査エリアから物理的に分離されている囲いと、
を備えるチェックポイントモジュールと、
を具備するセキュリティチェックポイント。
【請求項２５】
前記物品検査エリアは第１の物品検査エリアであって、前記チェックポイントモジュールは、第２の物品検査エリアをさらに備える、請求項２４に記載のセキュリティチェックポイント。
【請求項２６】
前記第１の物品検査エリア及び第２の物品検査エリアはずれている、請求項２４に記載のセキュリティチェックポイント。
【請求項２７】
前記囲いは出口を含み、該出口は、前記出力エリアに近接して配置される、請求項２４に記載のセキュリティチェックポイント。
【請求項２８】
前記物品検査エリアは、該物品検査エリア及び前記出力エリアを接続する延長部を備える、請求項２７に記載のセキュリティチェックポイント。
【請求項２９】
前記囲いは、実質的に透明な平面を備える、請求項２４に記載のセキュリティチェックポイント。
【請求項３０】
前記囲いは、該囲いが満員になった場合に該囲いに入るための列を形成することができる入口エリアを備える、請求項２４に記載のセキュリティチェックポイント。
【請求項３１】
前記第２の身体検査を支援する前記囲いの外側に配置された検査装置をさらに具備する、請求項２４に記載のセキュリティチェックポイント。
【請求項３２】
前記囲いは、前記人を前記第２の身体検査のための適当な位置に案内するワンディングフットパッドをさらに備える、請求項２４に記載のセキュリティチェックポイント。
【発明の詳細な説明】
【技術分野】
【０００１】
本発明は、人々を効率よく処理し、公衆の満足感を向上させ、セキュリティを向上させる改良されたセキュリティチェックポイント構造を提供する。
【背景技術】
【０００２】
［発明の背景］
安全対策により、公衆は、ますます危険になっている世界において普通の生活を続けることができる。危険が増加しているため、安全予防措置は現代生活の一般的な態様となってきている。たとえば、空港及び他の公共の場所におけるセキュリティチェックポイントは、有害な物品の検査、位置の特定及び収集を通して公衆に対し安全性を向上させ、それによって公共の場所にこれら有害な物品が存在しないようにするのに役立つ。このように安全性を向上させることと引替えに、公衆は、不便さ及びプライバシーの喪失を妥協している。
【０００３】
確実にセキュリティチェックポイントが一般に受け入れられるのに役立つように、チェックポイントは、公衆に対するコストを最小限にしなければならない。さまざまな性能の尺度が、公衆に対するこれらのコストを定量化する。たとえば、チェックポイントに関連する遅延時間を測定する場合があり、セキュリティチェックポイントを、その遅延を最小限にするように変更する場合がある。
【発明の開示】
【発明が解決しようとする課題】
【０００４】
従来のセキュリティチェックポイント構造には、通常いくつかの不都合がある。主として、従来のチェックポイントは、最適な効率で公衆を処理しない場合がある。結果としての遅延のために、公衆は、従来のセキュリティチェックポイント構造に不満であることが多い。チェックポイントに関する遅延が最小である場合であっても、チェックポイントは、不要な遅延に対し、且つ不要な遅延を感じることに対し、公衆の不満をもたらす可能性がある。
【０００５】
特に、従来のセキュリティチェックポイントでは、「適正な（clean）」（チェックポイントの検査に合格した人及び物品）及び「不正な（dirty）」（検査に合格しなかった）人々が入り混じるため混乱が発生する可能性がある。入り混じることにより、人々がチェックポイントを行ったり来たりするため遅延がもたらされる可能性がある。また、入り混じることにより、さらなる検査を行うために止められた「不正な」人は、そのさらなる検査の前に他の人々と接触するか又は自分の鞄を取り戻すことができるため、潜在的なセキュリティの問題がもたらされる可能性もある。そのため、入り混じることにより、疑いのある対象をすでに検閲に合格した人又は物品とともに処理する機会があることになる。
【０００６】
さらに、従来のセキュリティチェックポイントは、利用可能な空間を使用せず、比較的高価な探査機器を効率的に割り当てない。代りに、従来のチェックポイントは、一般に無計画に設置されている。
【０００７】
また、チェックポイントを通過する人々は、自分の物品のうちのいくつかから引き離されるため、その物品が喪失するか又は盗難される可能性がある。従来のチェックポイント構成は、一般に、この問題に対処していない。
【課題を解決するための手段】
【０００８】
［発明の概要］
これら及び他の必要に応えて、本発明は、さらに探索するために止められた人々をその人たちの所持品と他の人々とから分離する、改良されたセキュリティチェックポイントを提供する。これらの特定された人々は、以下ワンディングステーション（wanding station）と呼ぶ安全な囲まれたエリアに導かれる。ワンディングステーションは、身体検査エリア及び物品検査エリアから物理的に分離されたエリアである。この設計は、不正な人々（たとえば、金属探知機を通過すると警報を発生させる人々）を十分に収容し、これらの人々が、身体検査が完了するまで他の人々と接触するか又は自分の物品を取り戻すことがないようにする。このため、本発明には、人々を、検査に合格するまで囲まれたワンディングステーション内に収容することにより、セキュリティブリーチ（security breech）の可能性を低減するという利益がある。
【０００９】
本発明には、チェックポイントを通る往来の流れを制御し、それによりセキュリティチェックポイントにおける上述した望ましくない入り混じりを低減させるというさらなる利益がある。このように、本発明には、大部分の人々（さらに探索するために選択されていない人々）に対し、他の人々の追加の検査を待つことなくチェックポイントを迅速に通過することができるようにすることにより、遅延を少なくするというさらなる利益がある。
【００１０】
上述したように、ワンディングステーションは、追加の検査中に人々を分離し保持する独特な物理的構造である。ワンディングステーションを、支柱間のロープ又は他の可動仕切りによって形成してもよい。好ましい実施形態では、ワンディングステーションは、ガラス（又は別の丈夫で視覚的に透明な物質）及び金属（アルミニウム又は鋼）製ポストを使用して、人々を、安全にワンディングステーション内に閉じ込めることができるが、人々が依然として別の場所においてｘ線ベルト上で検査されている携行品を直接見ることができるように、構成される。
【００１１】
ワンディングステーションのサイズは、それが必要な追加の検査に十分な場所及び空間を有すれば、チェックポイントの必要に応じて異なってもよい。一実施態様では、ワンディングステーションの寸法は、３人の人々が同時にセキュリティ人員によって検査されるための適当な空間をワンディングステーション内に提供するように決められる。
【００１２】
ワンディングステーションが満杯になると、セキュリティチェックポイントモジュールは、それ以上人々がワンディングステーションに入らないように閉鎖してもよい。セキュリティチェックポイントモジュールの閉鎖の頻度を最小限にするために、ワンディングステーションの好ましい実施形態は、人々がワンディングステーションに入場列を形成する入口エリアを含む。この設計は、身体検査エリアのスループットを妨げる前にワンディングステーションに向かって分離された人々の数を増加させることによりチェックポイントを通しての乗客スループットを増大させる。特定の実施態様では、６人の乗客を保持するように入口エリア（又はネック）が設計される。
【００１３】
別の実施形態では、本発明は、２つ以上の身体検査エリア及び物品検査エリアがワンディングステーションを共用するダブルレーンモジュールを提供する。本発明のダブルレーンモジュールを、概して、垂直方向又は水平方向空間制限に関わりなく任意の場所に採用することができる。
【００１４】
本発明の別の実施形態は、チェックポイントのスループットを向上させるためにセキュリティ機器のうちのいくつかの特定の位置決め及び寸法を使用するセキュリティチェックポイント構造を提供する。特に、ダブルレーンモジュールは、セキュリティチェックポイントを通過する大多数の人々を含む、警報をもたらさない人々が、迅速且つ容易に、門型金属探知機から一直線にｘ線マシンまで進み、ローラから自分の鞄を受け取り、最短の遅延で進むことができることを確実にするように設計される。この目標を達成するために、門型金属探知機は、ｘ線ユニットに接近して、好ましくは３０．４８センチ（原文では１２インチ、請求項においても同じ）の範囲内に配置される。
【００１５】
ダブルレーンモジュールはまた、ワンディングステーションを出る人々が他の人を遅らせることなく自分の物品を容易に受け取ることができるように構成されることが好ましい。具体的には、人は、警報を解除した後にワンディングステーションを出て、直接自分の物品を取り戻しに行く。この設計を容易にするために、ｘ線マシン（物品を検査するため）へのローラ延長部を採用することにより、人々が他の人々の流れに逆らって歩かないようにするために、必要に応じて追加の長さを提供してもよい。
【００１６】
本発明の別の実施形態では、セキュリティモジュールは、小型物品ｘ線又は他の検査装置をさらに含む。これらの検査装置は、ワンディングステーション内の検査を迅速に処理するようにワンディングステーションの近くに配置される。たとえば、人がワンディングステーション内で検査されている間に、その人の携行品（靴等）を小型物品ｘ線で同時に検査することができる。
【００１７】
本発明の別の実施形態では、複数のモジュールを合わせて配置することにより、セキュリティチェックポイントを形成する。モジュールは、チェックポイントに対する必要に応じて、且つ利用可能な資源に応じて配置される。セキュリティチェックポイントは、セキュリティチェックポイントに入る特別な列の構造をさらに含んでもよい。
【００１８】
本発明のこれら及び他の利点は、全体を通して同様の参照番号が対応する部分を表す以下の図面及び付随する文においてより完全に記載されている。
【発明を実施するための最良の形態】
【００１９】
従来のセキュリティチェックポイントモジュール１００を、図１（従来技術）に概略的に示す。既知のチェックポイントモジュール１００では、人々は、チェックポイントモジュール入口１１０に入り、そこで一般に、身体検査エリア１２０に入る前に検査の準備をする。チェックポイントモジュール入口１１０では、人々はまた、すべての手荷物及び物品を物品検査エリア１３０内に置く。身体検査及び物品検査が完了した後、人々は自分の物品を取り戻し、チェックポイント出口１４０を通ってセキュリティチェックポイントを出る。
【００２０】
最初に、人はセキュリティチェックポイント入口１１０に入る。場合によっては、チケットを持っている人のみがセキュリティチェックポイントに入ることが許可される。このため、チェックポイント入口１１０の一態様は、チケットの検査であってもよい。チェックポイント入口１１０は、人々がチェックポイントを迂回しないように、ゲート、ドア又は他の構造をさらに含んでもよい。
【００２１】
セキュリティチェックポイント入口１１０では、人々は、後述する身体検査及び物品検査の準備をする。たとえば、セキュリティチェックポイント入口１１０にいる人々は、鍵、硬貨、宝石、携帯電話、又はセキュリティ検査を妨げる可能性のある他の金属製の物を取り除くことにより、身体検査エリア１２０での検査の準備をする。同様に、セキュリティ入口１１０にいる人々は、物品を物品検査エリア１３０内に置くことにより、且つ別の検査が必要なラップトップコンピュータ又はカメラ機器等の特別な物品を特定することにより、物品検査エリア１３０での物品検査の準備をする。
【００２２】
身体検査エリア１２０では、人は、門型金属探知機（ＷＴＭＤ）等、何らかのタイプの高速スキャン装置によって検査される。人によっては警報を起動し、それにより身体検査警報の原因を解明することが必要となる。身体検査装置の感度を向上させることにより、警報を起動する人の割合が上昇する。
【００２３】
身体検査警報の原因が解明された後に、その人はチェックポイント１００を出ることができる。警報をもたらした人は、チェックポイント入口１１０に戻り、１つ又は複数の物品を取り外し、身体検査エリア１２０に再び入って検査を繰り返す場合がある。別法として、セキュリティ担当者は、身体検査エリア１２０を閉鎖し、警報の理由を解決するための必要に応じて他の検査テストを実行する場合がある。たとえば、セキュリティ担当者は、手持式金属探知機（「ＨＨＭＤ」）又は他の検査技法（ボディーチェック等）を用いて、警報をもたらす物を特定してもよい。不都合なことに、これらプロセスにより、身体検査エリア１２０に入るのを待っている他の人々を遅らせる。
【００２４】
図１に戻ると、人は、物品を物品検査エリア１３０内に置くことにより、物品検査エリア１３０における物品検査を開始する。そして、既知の技法を使用して物品が検査される。通常、物品検査は、セキュリティ関係者が物品を調べることができるようにする何らかのタイプのｘ線装置を使用する。ｘ線装置が警報を発した場合、この物品がセキュリティチェックポイントを通過するのが許可される前に、より詳細な検査を通してその警報の原因を解明しなければならない。物品検査警報の原因が解明され、又は物品が物品検査警報を発しなかった場合、その物品に対し検査を通してもよく、物品検査は終了する。
【００２５】
物品検査エリアにおいて物品検査警報の原因を解明するには、一般に、当該セキュリティチェックポイントに対する必要に応じて、物品のより完全な検査が必要である。たとえば、空港では、セキュリティ関係者は、禁止された化学製品が入っていないか物品をテストしてもよい。必要な場合は、セキュリティ関係者は、警報の原因を特定するために物品を手作業で探索してもよい。他のセキュリティ作業又は作業の組合せを同様に組み込んでもよい、ということを理解しなければならない。また、ｘ線の結果に従って手作業による探索の程度が異なってもよい。特に、手作業による探索は、検査中に制限された物品が見えるか否かによって異なってもよい。
【００２６】
セキュリティプロセスを迅速に処理するために、エリア１３０における人の物品の検査と、エリア１２０における人の検査とは、同時に行われる。しかしながら、上に示唆したように、エリア１３０における物品検査及びエリア１２０における身体検査は、エリアの一方における作業が他方のエリアにおける作業が完了するまで開始することができないように相互に関連付けられる場合がある。このように、人が身体検査エリア１２０においてセキュリティ警報をもたらすことにより、エリア１２０及び１３０の両方における遅延が発生する可能性がある。たとえば、エリア１３０における物品のより詳細な検査（手作業による探索等）は、一般に、所有者がいなければ開始することができない。その結果、所有者が身体検査エリア１２０で引き留められる場合、物品検査エリア１３０で遅延が発生する可能性がある。
【００２７】
物品検査及び身体検査がともに完了すると、人々は自分の物品を受け取り、セキュリティチェックポイント出口１４０を通ってセキュリティチェックポイントを出る。チェックポイント出口１４０は、人々が出口１４０からチェックポイントに入らないようにゲート、ドア又は他の構造をさらに含んでもよい。
【００２８】
上述したように、図１に示すこの単純な構造１００には、可能性として金属探知テストに合格した人々と失格した人々とを混合すること、及び身体検査が完了する前に人々が物品検査エリアの物品を手にすることが可能になることを含むいくつかの欠点がある。このため、人が、検査に通った人々又は手荷物に密輸品を詰め込むことができるという潜在的なセキュリティ上の危険が発生する。また、既知のセキュリティモジュール１００の構造により、身体検査エリア１２０における人々の追加の探索によって、他の人がエリアに入ることができなくなり、エリア１３０における物品検査が遅れる可能性があるため、遅延がもたらされる可能性がある。
【００２９】
これらの欠点に応じて、本発明は、図２Ａに概略的に示すセキュリティチェックポイントモジュール２００を提供する。従来のセキュリティチェックポイントモジュール１００と同様に、セキュリティチェックポイントモジュール２００は、人々をチェックポイントモジュール入口２１０に入るように指示し、そこで人々は、一般に、上述したようにエリア２２０及び２３０それぞれにおける身体検査及び物品検査の準備をする。エリア２２０及び２３０で使用される検査装置及びテストは、異なるセキュリティチェックポイントモジュール２００に対して必要に応じて異なってもよく、かかる変化は本発明によって予期され、本発明に容易に組み込まれる、ということを理解しなければならない。
【００３０】
図２Ａを続けると、セキュリティチェックポイントモジュール２００は、従来のセキュリティチェックポイントモジュール１００における欠点に対処するためにワンディングステーション２４０を含む。ワンディングステーション２４０は、身体検査エリア２２０及び物品検査エリア２３０とは別である。特に、身体検査エリア２２０においてさらに探索するように選択された人々（すなわち、金属探知機による警報を起動する人々）は、ワンディングステーション２４０に向かうよう指示される。このように、セキュリティチェックポイントモジュール２００は、混乱した検査プロセス及び混合に関連する問題を回避する。さらに、身体検査エリア２２０から離れてワンディングステーション２４０において追加の検査が行われるため、身体検査エリア２２０を通過している他の人々が、追加の検査によってそれほど影響を受けない。
【００３１】
特に、人がエリア２２０において身体検査警報をもたらす場合、その人は、警報の原因を解明する必要に応じて、さらに詳しく探索するために、安全なワンディングステーション２４０に移動させられる。ワンディングステーション２４０における身体検査警報の原因の解明は、当該セキュリティチェックポイントによって異なってもよい。たとえば、警報を、ＨＨＭＤ検査により、又は身体検査警報の原因を特定する他のテストにより解明してもよい。
【００３２】
ワンディングステーション２４０は、さらなる身体検査を行うために指定された任意のタイプの囲まれたエリアであってもよい。たとえば、ワンディングステーション２４０は、別の部屋であってもよい。セキュリティチェックポイントは既存の構造内に配置されることが多いため、別の部屋は、使用可能でない場合があり、又は都合がよくない場合がある。そのため、ワンディングステーション２４０は、セキュリティチェックポイントに存在する必要及び資源に応じて構成される構造である。たとえば、チェックポイントに存在する検査装置（すなわち、上述したＷＴＭＤ及びｘ線マシン）を、ワンディングステーション２４０のための囲いを形成するように配置してもよい。別法として、ワンディングステーション２４０は、ロープ、鎖又は格納式テープによって接続された支柱によって画定される囲いであってもよい。ワンディングステーションにおけるセキュリティ担当者は、人が、検査に通るまでワンディングステーションを出ることができないことを確実にするのに役立つ。
【００３３】
図２Ｂ乃至図２Ｄは、本発明の好ましい実施形態によるワンディングステーション２４０を形成する構造を示す。特に、ワンディングステーション２４０は、ワンディングステーション壁２４２を固定するように適合されたフレーム要素２４１を使用して形成される。フレーム要素２４１は、ワンディングステーション壁２４２を確実に固定するために十分丈夫な任意のタイプの構造であってもよい。たとえば、フレーム要素２４１は、ワンディングステーション２４２が締結される金属ビーム又は管であってもよい。フレーム要素２４１は互いに固定されることにより、さらなる身体検査中に人々を収容する強固な構造を形成する。同様に、ワンディングステーション壁２４２は、フレーム要素２４１と結合して所望の囲い構造を形成する任意のタイプの実質的に平面の構造であってもよい。たとえば、ワンディングステーション壁２４２は、フレーム要素２４１に締結される木製、金属又はプラスチックボードであってもよい。
【００３４】
一実施形態では、ワンディングステーション壁２４２は、ワンディングステーション２４０にいる人々が物品検査エリア２３０を観察することができるように実質的に透明である。このように、ワンディングステーション２４０にいる人々は、自分の物品の跡を追い、物品が間違って要求されるか又は盗難される場合にセキュリティ関係者に知らせることができる。また、シースルーのワンディングステーション２４０により、セキュリティ担当者がワンディングステーション２４０内で起こることを観察し、セキュリティの目的での必要に応じて振る舞うことができる。したがって、ワンディングステーション壁２４２を、ガラス、透明なプラスチック（プレキシグラス（登録商標））又は他の実質的に透明な物質から構成してもよい。
【００３５】
図２Ｂに戻ると、ワンディングステーション２４０の寸法を、セキュリティチェックポイントモジュール２００を含む構造において可能であるように決めてもよい。また、ワンディングステーション２４０の寸法を、セキュリティチェックポイントに対する必要に応じて決めてもよい。たとえば、セキュリティチェックポイントモジュール２００を通して適当なスループットを達成するための必要に応じてワンディングステーションのサイズ及び収容力を確定する詳細なモデリング及びシミュレーションを使用してもよい。図２Ｂは、同時に３人の人を検査する３つのサブステーション２４３を有するワンディングステーション２４０を示す。サブステーション２４３を、ワンディングステーション２４０において検査するための適当な位置に人々を案内するワンディングフットパッドとして示す。モデリング及びテストを通して、チェックポイントのスループットにそれほど影響を与えることなく、ワンディングステーション２４０に対し３つのサブステーションが最適な最小収容力であることが多いと判断された。したがって、ワンディングステーション２４０の好ましい実施態様は、３人の人を同時に検査するために十分な場所を提供する。このワンディングステーションの寸法は、およそ幅９フィート（図２ＢのＸ方向）、長さ１３フィート（図２ＢのＹ方向）及び高さ６フィートである。ワンディングステーション２４０は、特定のセキュリティチェックポイント２００に対する必要に応じて他の任意のサイズであってもよい、ということを理解しなければならない。特に、ワンディングステーション２４０に対し、使用可能な空間に応じて形状及び寸法を決めてもよい。さらに、ワンディングステーションの寸法（及び対応する収容力）を、セキュリティチェックポイントモジュールの所望のスループットに応じて変更してもよい。
【００３６】
ワンディングステーション２４０の収容力がいっぱいになると、セキュリティチェックポイントモジュール２００は、サブステーション２４３のうちの少なくとも１つの検査が完了するまで閉鎖する。さもなければ、身体検査エリア２２０において警報をもたらす人は、行く場所がなく潜在的なセキュリティ上の危険となる。ワンディングステーション２４０の収容力を増大し、そのためにセキュリティチェックポイントモジュール２００の閉鎖を最小限にするために、ワンディングステーション２４０は、図２Ｂに示すように、乗客がワンディングステーション２４０に入るための列を形成するネックエリア２４４をさらに含んでもよい。特定の実施態様では、ネックエリア２４４は６人の乗客を保持するように設計され、それにより、チェックポイントモジュール２００を閉鎖する前にワンディングステーション２４０における人々の数が実質的に増大する。６人の人の列に対応するために、ネックエリア２４４の寸法は、およそ幅６フィート及び奥行き４フィートであってもよい。
【００３７】
図２Ｃ及び図２Ｄはさらに、それぞれ側面から且つ正面からのワンディングステーション２４０の構造を示す。特に、図２Ｃは、図２Ｂの方向Ａに沿って見たワンディングステーションの側面を示し、図２Ｄは、図２Ｂの方向Ｂに沿って見たワンディングステーションの側面を示す。上述したように、フレーム要素２４１は、ワンディングステーション壁２４２を固定する骨組を形成する。さらに、フレーム要素２４１及びワンディング壁は、所望の寸法のワンディングステーション２４０を形成するため、且つ上述したネックエリア２４４等のワンディングエリア２４０の構成要素を形成するための必要に応じて配置される。
【００３８】
ここで図３を参照すると、本発明の別の好ましい実施形態は、ダブルレーンセキュリティモジュール３００を提供する。ダブルレーンセキュリティモジュール３００は、概してワンディングステーション２４０を共用する２つの物品検査エリア２３０及び２つの身体検査エリア２２０を含む。図３及び続く文は、検査エリア２２０及び検査エリア２３０の対応する対によって共用されるワンディングステーション２４０について示し説明するが、単一のワンディングステーション２４０を任意の数の検査エリア２２０及び検査エリア２３０と結合してもよい、ということを理解しなければならない。たとえば、各身体検査エリア２２０に対して２つ以上の物品検査エリア２３０を設けることによって、セキュリティチェックポイントモジュール２００のスループットを向上させてもよい。
【００３９】
ダブルレーンセキュリティモジュール３００は、概して、空間及びセキュリティ資源のより効率的な使用を可能にする。特に、ワンディングステーション２４０は、通常、比較的広い面積と大人数のセキュリティ担当者とを必要とする。また、単一のワンディングステーション２４０は、単一の制御されたエリアにおける潜在的に危険な人々のモニタリングを可能にすることによりセキュリティを向上させる。
【００４０】
図３を続けると、ダブルレーンセキュリティモジュール３００は、チェックポイントモジュール３００の収容力を最大限にするように最適に物理的に構成されている。たとえば、身体検査エリア２２０及び物品検査エリア２３０への入口は、人々がダブルレーンセキュリティモジュール３００により効率的に入ることができるように隣接しており、距離は１フィート以内であることが好ましい。さらに、ワンディングステーション２４０を出る人が物品検査エリア２３０から自分の物品を取り戻すために人々の流れに逆らって移動する必要がないように、ワンディングステーション２４０からの出口は、物品検査エリア２３０からの出口に近接している。
【００４１】
図３を続けると、人々が身体検査エリア２２０からワンディングステーション２４０に迅速に移動することができるように、ワンディングステーション２４０は概して、身体検査エリア２２０に近接して配置されている。同様に、人々が自分の物品をモニタすることができるように、ワンディングステーション２４０を物品検査エリア２３０間に配置してもよい。
【００４２】
ここで図４を参照すると、例示的なダブルレーンセキュリティモジュール４００の特定の要素のうちのいくつかが示されている。特に、例示的なダブルレーンセキュリティモジュール４００は、上述したように、２つのｘ線マシン４３０の境界内に構成されたガラス又は他の頑丈な材料で囲まれたワンディングステーション４４０を含む。
【００４３】
例示的なダブルレーンセキュリティモジュール４００は、２つのｘ線マシン４３０、２つのｘ線ローラ延長部４３２、２つの１つの小型物品ｘ線４４５、２つの門型金属探知機（ＷＴＭＤ）４２０、電子痕跡探知（Electronic Trace Detection）装置４３４、荷預かり（divestiture）テーブル４１０、荷溜まり（composure）テーブル４５０及びワンディングステーション４４０を含む。チェックポイントの必要に応じて、セキュリティモジュールにおいて任意のタイプ又は組合せの検査装置を使用してもよい、ということを理解しなければならない。
【００４４】
例示的なダブルレーンモジュール４００は、効率的な操作のために、各ＷＴＭＤ４２０の出口側に配置された２人のＷＴＭＤオペレータ、ｘ線モニタステーション４３０に配置された２人のｘ線オペレータ、ワンディングステーション４４０内に配置された３人のワンドオペレータ（Wand Operator）、ワンディングステーション４４０のすぐ外側に配置されたシューランナー（Shoe Runner）、ＥＴＤステーション４３４の後方に配置された２人のＥＴＤオペレータ、荷溜まりテーブル４５０に配置されたビンランナー（Bin Runner）、ダブルモジュールの後方に向かって配置された１人のチェックポイント管理者、及び小型物品ｘ線４４５に配置された小型物品ｘ線オペレータを含む、１３人のセキュリティ担当者を使用することが最適である。
【００４５】
ワンディングエリア４４０（上述したワンディングエリア２４０に対応する）は、ワンディングステーション壁２４２を固定するために骨組を形成するフレーム要素２４１を使用して形成してもよい構造４４１によって画定される。ワンディングエリア４４０は、上述した要素２４３及び２４４に対応するワンディングサブステーション４４２及び入口エリア４４３をさらに含む。
【００４６】
図４を続けると、例示的なダブルレーンモジュール４００を、その効率を向上させるように構成してもよい。たとえば、ＷＴＭＤ４２０をさらに離れて分離させることにより、大部分の人々（すなわち、ワンディングステーションにおいてさらに検査されるようには選択されていない人々）に対し、ｘ線レーン４３０の最後で自分の物品を受け取るために直接向かう直接のまっすぐな通路を提供すべきである。同様に、例示的なダブルレーンモジュール４００は、荷預かりエリア（４１０）及び荷溜まりエリア（４５０）が一直線に並び乗客の流れが止まる場所がもたらされないように、わずかに互い違いにされるｘ線レーン４３０を有してもよい。また、ワンディングステーション４４０を出る人々が、他の人々の流れに逆らって移動することなく、物品検査エリアから物品を受け取るために自分の物品に直接向かうことができるように、ｘ線レーン４３０は延長部４３２を有してもよい。延長部４３２は、１組のローラ、移動コンベヤベルト、又はｘ線４３０から物品を受け取りこれら物品を一般にワンディングステーション４４０の出口に近い所望の位置まで移動させる他の何らかの既知の構造であってもよい。さらに、荷溜まりの渋滞地点が延長部４３２の全長に沿って分散されるため、チェックポイントの効率が向上する。
【００４７】
上述したように、ワンディングステーション２４０の寸法は、チェックポイントの空間制限及び収容力の必要に応じて最適に決められる。その結果、検査の効率及び／又は徹底を向上させる追加のセキュリティテスト機器を、ワンディングステーションの外部に配置することができる。たとえば、図４は、ワンディングステーション４４０に近接して配置された小型物品ｘ線マシン４４５を示す。小型物品ｘ線により、セキュリティ担当者は、靴及び上着等の小さい携行品を比較的迅速に検査することができる。この検査機能により、携行品が他の身体検査と同時にスキャンされるようにすることにより、人がワンディングステーション４４０で費やす時間が短くなる。
【００４８】
ここで図５を参照すると、セキュリティチェックポイント５００は、複数のセキュリティモジュール３００に至る単一のチェックポイント入口５１０を有してもよい。チェックポイント入口５１０は、セキュリティチェックポイント５００に入る待機エリアを表す。チェックポイント入口５１０は、２人の作業員、すなわち、チェックポイント入口５１０への入場を制御するチケットチェッカー（Ticket Checker）と、次に利用可能なセキュリティモジュール３００への乗客の流れを制御するラインモニター（Line Monitor）と、を採用してもよい。
【００４９】
一実施形態では、チェックポイント入口５１０は、いくつかの利益を提供する蛇行する入場列（図示せず）である。入場列により、セキュリティ担当者に、セキュリティチェックポイントプロセスについて人々に適切に教える時間が与えられる。第２に、単一の迅速に移動する列がもたらす遅延の感覚は、一般に、複数の低速で短い列の場合に比較して短い。さらに、蛇行する入場列により、同じ物理空間においてより多くの人々を処理する収容力が与えられる。
【００５０】
別の実施形態では、チェックポイント入口５１０は、別々の列、すなわち一般の人々のための１つの列と、従業員、妊婦、ペースメーカを有する人々、年配の旅行者、小さい子供を連れた人々、扱い難い物（たとえば、ベビーカー、カーシート）を有する乗客、及び身体障害者等、指定されたグループのための直線の列と、を含む。
【００５１】
通常、可動支柱を使用して、セキュリティチェックポイント入口５１０を構成し、人々を、チェックポイント入口５１０を通るように向ける。通常、チェックポイントモジュール３００に入るのを待っている人々の数に対応するために必要なチェックポイント入口５１０を再構成するのは、セキュリティ担当者の責任である。
【００５２】
図５を続けると、チェックポイント５００を形成する必要に応じて、複数のセキュリティチェックポイントモジュール３００を結合してもよい。さらに、チェックポイントモジュール３００を、利用可能な物理レイアウトに応じて、且つ最適なチェックポイント効率に対する必要に応じて配置してもよい。
【００５３】
ここで図６を参照すると、例示的なセキュリティチェックポイント６００は、図５において上述したような、さまざまなチェックポイントモジュール及びチェックポイント入口の組合せを示す。特に、例示的なセキュリティチェックポイント６００は、蛇行する列及び迂回する列を含む入口エリア６１０を有する。例示的なセキュリティチェックポイント６００は、いくつかのセキュリティチェックポイントモジュール６２０ａ及び６２０ｂをさらに含む。理解することができるように、モジュールの寸法は、利用可能な空間に合うように適合される。例示的なセキュリティチェックポイント６００では、チェックポイント入口６１０並びにチェックポイントモジュール６２０ａ及び６２０ｂは、Ｌ字型エリアに適合するように構成されている。さらに、図示するチェックポイント６００は、単一レーンモジュール６２０ａ（モジュール２００に対応）及びダブルモジュール６２０ｂ（ダブルレーンモジュール３００に対応）をともに含む。
【００５４】
本発明のセキュリティチェックポイント構造を、空港及び実際には任意の他のセキュリティチェックポイントにわたり容易に複製することができる。これには、限定されないが競技場、貨物、港、海、ハイウェイ及び国境チェックポイントがある。
【００５５】
結び
本発明の好ましい実施形態の上述した説明を、例示及び説明の目的で提示した。それは、網羅的であるようにも、又は本発明を開示した厳密な形態に限定するようにも意図されていない。上記教示に鑑みて多くの変更及び変形が可能である。本発明の範囲は、この詳細な説明ではなく、添付の特許請求の範囲によって限定されることが意図されている。上記明細、例及びデータは、本発明の構成物の製造及び使用を完全に説明するものである。本発明の精神及び範囲から逸脱することなく本発明の多くの実施形態を作成することができるため、本発明は、添付の特許請求の範囲に帰する。
【図面の簡単な説明】
【００５６】
【図１】従来のセキュリティチェックポイントモジュールの概略図である。
【図２Ａ】本発明の一実施形態による改良されたセキュリティチェックポイントモジュールの概略図である。
【図２Ｂ】本発明の実施形態によるワンディングステーションを示す図である。
【図２Ｃ】本発明の実施形態によるワンディングステーションを示す図である。
【図２Ｄ】本発明の実施形態によるワンディングステーションを示す図である。
【図３】本発明の別の実施形態によるダブルレーンセキュリティチェックポイントモジュールの概略図である。
【図４】本発明の実施形態による図３のダブルレーンセキュリティチェックポイントモジュールの要素を示す例示的なチェックポイントモジュールを示す図である。
【図５】本発明の一実施形態による図３のダブルレーンセキュリティチェックポイントモジュールを使用して形成されるチェックポイントの概略図である。
【図６】本発明の実施形態による図５のセキュリティチェックポイントの要素を示す例示的なチェックポイントを示す図である。
【図１】
2006513919.tif 000003
【図２Ａ】
2006513919.tif 000004
【図２Ｂ】
2006513919.tif 000005
【図２Ｃ】
2006513919.tif 000006
【図２Ｄ】
2006513919.tif 000007
【図３】
2006513919.tif 000008
【図４】
2006513919.tif 000009
【図５】
2006513919.tif 000010
【図６】
2006513919.tif 000011
【国際調査報告】
2006513919.tif 000012
2006513919.tif 000013
2006513919.tif 000014